(57)【特許請求の範囲】
【請求項１】
リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズ部と、これらの発光素子、受光素子およびレンズ部をその内部に収納して一体化させる遮光性のケースとから構成されたフォトインタラプタであって、前記レンズ部がレンズと支持台とを備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されていることを特徴とするフォトインタラプタ。
【請求項２】
リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズ部と、これらの発光素子、受光素子およびレンズ部をその内部に収納して一体化させる遮光性のケースとから構成されたフォトインタラプタであって、前記レンズ部がレンズと支持台とを備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されているとともに、前記ケースが、発光素子、受光素子およびレンズ部のうちの少なくとも１つに嵌合した状態で形成されていることを特徴とするフォトインタラプタ。
【請求項３】
前記支持台が、発光素子または受光素子のリードフレームに添設可能な形状を有している請求項１または２記載のフォトインタラプタ。
【請求項４】
前記レンズ部が、レンズの光放出側面に配置された筒形状部材を有している請求項１、２または３記載のフォトインタラプタ。
【請求項５】
前記レンズ部の支持台が、透光部と、発光素子から放出された光の一部分を遮光して光を絞る遮光部とから構成されている請求項１、２または３記載のフォトインタラプタ。
【請求項６】
リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズと支持台を備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されてなるレンズ部と、これら発光素子、受光素子およびレンズ部をその内部に収納して一体化させる遮光性のケースとからなるフォトインタラプタの製造方法であって、前記レンズ部が、予め設定されたピッチおよび配列数を有するように複数個連接して作製されており、複数個配置されたケース内に前記複数個連接された構成部材およびその他の構成部材を挿入して一体的に形成した後、前記連接部分を切断除去して個々のフォトインタラプタに分離することを特徴とするフォトインタラプタの製造方法。
【請求項７】
リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズと支持台を備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されてなるレンズ部と、これら発光素子、受光素子およびレンズ部をその内部に収納して一体化させる遮光性のケースとからなるフォトインタラプタの製造方法であって、前記レンズ部が、予め設定されたピッチおよび配列数を有するように複数個連接して作製されているとともに、前記ケースが、この設定されたピッチおよび配列数を有するように複数個連接して作製されており、このように複数個連接されたケースに、複数個連接された構成部材を一度に挿入するとともに、他の構成部材を挿入して一体的に形成した後、前記連接部分を切断除去して個々のフォトインタラプタに分離することを特徴とするフォトインタラプタの製造方法。
【請求項８】
前記ケースが、発光素子、受光素子およびレンズ部の各構成部材のうちの少なくとも１つに嵌合した状態で一体的に形成されている請求項６または７記載のフォトインタラプタの製造方法。
【請求項９】
リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズと支持台を備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されてなるレンズ部と、これら発光素子、受光素子およびレンズ部をその内部に収納して一体化させる遮光性のケースとからなるフォトインタラプタの製造方法であって、前記発光素子、受光素子およびレンズ部の各構成部材のそれぞれが、同ピッチおよび同配列数を有するように複数個連接して作製されているとともに、これら複数個の発光素子、受光素子およびレンズ部を金型内の所定の位置に配置して透光性樹脂により一体成形した後、各構成部材の連接部分を切断除去して個々のフォトインタラプタに分離することを特徴とするフォトインタラプタの製造方法。
【請求項１０】
前記ケースを複数個連接する連接部材が、ケースの線膨張係数よりも小さな線膨張係数を有する部材で形成されている請求項７または９記載のフォトインタラプタの製造方法。
【発明の詳細な説明】
【０００１】
【発明の属する技術分野】
本発明は、モータの回転数や回転角度の計測に用いられるレンズ付きのフォトインタラプタおよびその製造方法に関するものである。
【０００２】
【従来の技術】
従来のレンズ付きフォトインタラプタの一例としては、図１５および図１６に示すようなものがある。このフォトインタラプタは、リードフレーム１１１とこのリードフレーム１１１に搭載された発光チップ１１２とこれらのリードフレーム１１１および発光チップ１１２を被覆する透光性樹脂部１１３とからなる１つの発光素子１１０と、リードフレーム１２１とこのリードフレーム１２１に搭載された受光チップ１２２とこれらのリードフレーム１２１および受光チップ１２２を被覆する透光性樹脂部１２３とからなる１つの受光素子１２０と、発光素子１１０から放出された光を平行光に近づけるために発光素子１１０の発光面Ｓ１１０に配置された１つのレンズ１３０と、これらの発光素子１１０と受光素子１２０とレンズ１３０とを収納するケース１４０とから構成されている。
【０００３】
このケース１４０は、断面凹形状の溝部１４０ａを有する中空の略立方体形状であり、溝部１４０ａの側面に発光素子１１０からの光を放出するための発光側スリット１４０ｂと、発光素子１１０から放出された光を取り込むための受光側スリット１４０ｃとが形成されている。これらの発光側スリット１４０ｂと受光側スリット１４０ｃとは互いに対向する位置に形成されている。一方、ケース１４０の内側には、発光素子１１０と受光素子１２０とレンズ１３０とを収納可能な形状の中空部が形成されている。
【０００４】
このような構造のフォトインタラプタの作製方法の一例としては、まず、受光素子１２０の受光チップ１２２が受光側スリット１４０ｃに対向するように、リードフレーム１１１を保持しつつ受光素子１２０をケース１４０内の所定の位置に挿入する。
【０００５】
続いて、発光素子１１０の発光チップ１１２が発光側スリット１４０ｂに対向するように、リードフレーム１２１を保持しつつ発光素子１１０をケース１４０内の所定の位置に挿入するとともに、発光素子１１０と発光側スリット１４０ｂとの間にレンズ１３０を配置するためのスペースを設けておく。最後に、レンズ１３０が発光側スリット１４０ｂに嵌合するように、このスペースにレンズ１３０を挿入して完成させる。
【０００６】
なお、フォトインタラプタを設計する際には、リードフレーム１１１に発光チップ１１２をダイボンドするときに発光チップ１１２の位置がずれてしまった場合でも、発光素子１１０から放出された光を平行光に近づけることができるように（即ち、レンズ１４０がその役割を確実に果たすように）、発光チップ１１２とレンズ１４０との間の距離Ｌを大きくとっておく必要がある。
【０００７】
【発明が解決しようとする課題】
しかしながら、従来のフォトインタラプタには、作製する過程において以下に示すような問題があった。
【０００８】
（１）受光チップ１２２が受光側スリット１４０ｃに対向するように、また、発光チップ１１２が発光側スリット１４０ｂに対向するように、さらに、レンズ１３０が発光側スリット１４０ｂに嵌合するように、発光素子１１０や受光素子１２０、およびレンズ１３０を手作業により方向を整えつつケース１４０内に挿入していくことにより、１つのフォトインタラプタを完成させるため、たくさんの作製時間を要するといった問題があった。さらに、一連の作製作業（受光チップ１２２、発光チップ１１２およびレンズ１３０をケース１４０内に順次挿入する作業）から１つのフォトインタラプタしか完成できないため、作製効率が悪く、フォトインタラプタを多数作製するには、多くの労力と時間とが必要であるといった問題があった。
【０００９】
（２）レンズ１３０をケース１４０内に挿入するとき、リードフレーム１１１，１２１を有する発光素子１１０や受光素子１２０と異なりレンズ１３０にはリードフレームが無いことから、その形状が小さくなり取り扱いにくくなるといった問題があった。また、レンズ１３０をケース１４０内に挿入する際には、ピンセットのような先の細いもので、ケース１４０内にレンズ１３０を押し込む必要がある。
【００１０】
（３）前述のレンズ付きフォトインタラプタを構成するレンズ１３０の機能（役割）は、発光素子１１０から放出された光を平行光に近づけることであるが、発光チップ１１２から放出される光は、一点から放出されるものではなく、ある面積をもった領域から放出されるものである。さらに、リードフレーム１１１に発光チップ１１２をダイボンドするときに発光チップ１１２の位置がずれてしまう場合がある。これらの理由により、精度のよい平行光を得るためには、発光チップ１１２とレンズ１４０との間の距離Ｌを大きくする必要があり、その結果として、フォトインタラプタが大きくなってしまうといった問題があった。
【００１１】
本発明はこのような問題を解決すべく創案されたもので、効率よく作製可能であり、かつ、精度のよい平行光が得られるフォトインタラプタおよびその製造方法を提供することにある。
【００１２】
【課題を解決するための手段】
本発明のフォトインタラプタは、リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズ部と、これらの発光素子、受光素子およびレンズ部をその内部に収納して一体化させる遮光性のケースとから構成されたフォトインタラプタであって、前記レンズ部がレンズと支持台とを備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されているものである。
【００１３】
この発明によれば、当接部位が発光素子の発光面上に安定した状態で当接されるので、レンズ部で発光素子を保持することができるとともに、支持台を保持しながらレンズ部をケース内の所定の位置に簡単確実に挿入することができ、かつ、ピンセットのような先の細いものでレンズをケース内に押し込む必要もなくなる。
【００１４】
また、本発明のフォトインタラプタは、リードフレームとこのリードフレームに搭載された発光チップとが内部結線され、かつ、透光性樹脂により被覆されてなる発光素子と、リードフレームとこのリードフレームに搭載された受光チップとが内部結線され、かつ、透光性樹脂により被覆されてなる受光素子と、発光素子の発光面上に配置されたレンズ部と、これらの発光素子、受光素子およびレンズ部をその内部に収納して一体化させる遮光性のケースとから構成されたフォトインタラプタであって、前記レンズ部がレンズと支持台とを備え、レンズは、発光素子の発光面上に安定した状態で当接させることによって発光素子を保持するための当接部位を有し、当接部位に支持台の上端部が固定され、支持台の縦方向の寸法は、レンズ部をケースに挿入したときにその下端部がケースから突出する長さに設定されているとともに、前記ケースが、発光素子、受光素子およびレンズ部のうちの少なくとも１つに嵌合した状態で形成されているものである。
【００１５】
この発明によれば、当接部位が発光素子の発光面上に安定した状態で当接されるので、レンズ部で発光素子を保持することができるとともに、支持台を保持しながらレンズ部をケース内の所定の位置に簡単確実に挿入することができ、かつ、ピンセットのような先の細いものでレンズをケース内に押し込む必要もなくなる。また、ケースが、発光素子、受光素子およびレンズ部のうちの少なくとも１つに嵌合した状態で形成されているので、フォトインタラプタを製造する過程において、ケースに１つの構成部材を取り付ける作業を省略することができる。
【００１６】
また、前記支持台が、発光素子または受光素子のリードフレームに添設可能な形状を有していてもよい。この場合には、発光素子、受光素子およびレンズ部の位置決めを行うための金型の構造を簡略化することができる。
【００１７】
また、前記レンズ部が、レンズの光放出側面に配置された筒形状部材を有していてもよい。この場合には、フォトインタラプタを製造する過程において使用される位置決め用の金型にこの筒形状部材を当接しておくことにより、レンズに遮光性樹脂が付着することを防止できるとともに、レンズが金型に触れて変形することを防止できる。
【００１８】
また、前記レンズ部の支持台が、透光部と遮光部とから構成されており、この遮光部によって発光素子から放出された光の一部分を遮光して光を絞るようになっていてもよい。この場合には、光は透光部のみから放出するので、発光チップをリードフレームにダイボンドするときに発光チップの位置がずれてしまっても、レンズ表面の所定位置にのみ光を放出することができる。
【００１９】
また、前記レンズ部が、フォトインタラプタを製造する過程において、設定されたピッチおよび配列数を有するように複数個連接して作製されていてもよい。この場合には、発光素子、受光素子およびレンズ部をケース内に挿入する際に、発光素子、受光素子およびレンズ部を一度に複数個挿入することができる。また、挿入して一体的に形成した後に、連接部分を切断除去すれば、複数個のフォトインタラプタを製造することができる。
【００２０】
また、前記レンズ部が、フォトインタラプタを製造する過程において、設定されたピッチおよび配列数を有するように複数個連接して作製されているとともに、前記ケースが、この設定されたピッチおよび配列数を有するように複数個連接して作製されていてもよい。この場合には、複数個のケースに発光素子や受光素子およびレンズ部を一度に挿入することができる。また、挿入して一体的に形成した後に、連接部分を切断除去すれば、複数個のフォトインタラプタを製造することができる。
【００２１】
また、前記ケースが、フォトインタラプタを製造する過程において、発光素子、受光素子およびレンズ部のうちの少なくとも１つに嵌合した状態で一体的に形成されていてもよい。この場合には、発光素子、受光素子およびレンズ部のうちの複数個連接して作製されたものをケースに挿入することによって、複数個のケースを連続した状態で配置することができる。
【００２２】
また、前記発光素子、受光素子およびレンズ部が、フォトインタラプタを製造する過程において、同ピッチおよび同配列数を有するように複数個連接して作製されているとともに、透光性樹脂によって一体成形されていてもよい。この場合には、発光素子、受光素子およびレンズ部をケース内に一度に挿入することができる。
【００２３】
また、前記ケースが、フォトインタラプタを製造する過程において、このケースの線膨張係数よりも小さな線膨張係数を有する１つの接続部材を用いて複数個連接されていてもよい。この場合には、成形収縮の影響を小さくすることができる。
【００２４】
【発明の実施の形態】
次に、本発明のフォトインタラプタの実施の形態について説明する。
［実施の形態１］
まず、本発明のフォトインタラプタの実施の形態１について図面を参照しつつ説明する。
【００２５】
図１は本発明のフォトインタラプタの実施の形態１を示す斜視図である。図２はフォトインタラプタを示す縦断面図である。図３は、図１および図２に示すフォトインタラプタを構成するレンズ部の一例を示す説明図であり、同図（ａ）はレンズ部の一例を示す正面図であり、同図（ｂ）は同図（ａ）のＡ−Ａ線断面図である。
【００２６】
本実施の形態において、フォトインタラプタは、発光素子１０と、受光素子２０と、レンズ部３０と、これらの発光素子１０、受光素子２０およびレンズ部３０をその内部に収納して一体化させる遮光性のケース４０とから構成されている。
【００２７】
このケースとしては、従来のフォトインタラプタを構成するケースと同様のものが使用可能であり、その外形状は断面凹形状の溝部４０ａを有する略立方体形状であり、溝部４０ａの側面に発光素子１０からの光を放出するための発光側スリット４０ｂと、発光素子１０から放出された光を取り込み受光素子２０に導くための受光側スリット４０ｃとが形成されている。これらの発光側スリット４０ｂと受光側スリット４０ｃとは互いに対向する位置に形成されている。一方、ケース４０の内側には、発光素子１０と受光素子２０とレンズ３０とを収納可能な形状の中空部が形成されている。
【００２８】
また、発光素子１０は、リードフレーム１１ａ，１１ｂとこのリードフレーム１１ａ，１１ｂに搭載された発光チップ１２とがダイボンディングやワイヤボンディング等によって内部結線され、かつ、透光性樹脂１３により被覆されてなるものである。一方、受光素子２０は、リードフレーム２１ａ，２１ｂとこのリードフレーム２１ａ，２１ｂに搭載された受光チップ２２とがダイボンディングやワイヤボンディング等によって内部結線され、かつ、透光性樹脂２３により被覆されてなるものである。
【００２９】
また、レンズ部３０は、発光素子１０から放出された光を平行光に近づけるために発光素子１０の発光面Ｓ１０上に配置されており、レンズ３１と支持台３２とを備えているものである。
【００３０】
このレンズ３１は、図３に示すように、発光素子１０から放出された光を平行光に近づけるためのレンズ部位３１ａと、このレンズ部位３１ａと発光素子１０との間の距離を設定距離に保つために設けられた筒形状の支持部位３１ｂと、この支持部位３１ｂを発光素子１０の発光面Ｓ１０上に安定した状態で当接させるための当接部位３１ｃとを有している。この当接部位３１ｃは、中央部に円形状の窓部を有しており、この窓部に支持部位３１ｂの一端部が接続され、支持部位３１ｂの他端部にレンズ部位３１ａが接続された構造となっている。一方、支持台３２は薄板形状の部材であり、その上端部は当接部位３１ｃに固定されている。また、支持台３２の縦方向の寸法は、レンズ部３０をケース４０に挿入したときにその下端部がケース４０から突出するように設定されている。
【００３１】
レンズ３１はこのような構造を有しているので、本実施の形態１のフォトインタラプタによれば、支持台３２を保持しながらレンズ部３０をケース内の所定の位置に簡単確実に挿入することができ、かつ、ピンセットのような先の細いものでレンズをケース内に押し込む必要もなくなる。その結果、フォトインタラプタの製造時間を短縮することができる。
［実施の形態２］
次に、本発明のフォトインタラプタの実施の形態２について図面を参照しつつ説明する。
【００３２】
本実施の形態２のフォトインタラプタと実施の形態１におけるフォトインタラプタとの違いは、発光素子、受光素子およびレンズ部のうちの少なくとも１つが、フォトインタラプタを製造する過程において、設定されたピッチおよび配列数を有するように複数個連接して作製されていることであり、その他の箇所は実施の形態１におけるフォトインタラプタと同様であるので詳細な説明を省略する。
【００３３】
図４は、発光素子、受光素子およびレンズ部のうちレンズ部を複数個連接して作製した場合を例示している。
【００３４】
すなわち、各レンズ部３０の支持台３２が連接部材３２′によって複数個接続されており、これら支持台３２のそれぞれの上端部にレンズ３１が固定されて、複数個のレンズ部３０が形成されている。そして、隣り合うレンズ部３０のレンズ３１の中心点間の距離であるピッチＰと、レンズ部３０の接続個数である配列数とは予め設定された値となっている。
【００３５】
また、発光素子１０や受光素子２０を複数個連接して作製する場合には、図示は省略しているが、発光素子１０や受光素子２０の各リードフレームを、図４に示す支持台３２と同様に、連接部材を用いて一体的に形成すればよい。
【００３６】
なお、このような構成の発光素子、受光素子２０およびレンズ部３０を用いてフォトインタラプタを製造するには、発光素子１０、受光素子２０およびレンズ部３０をケース４０に挿入して一体的に形成した後、連接部材３２′や一体成形されたリードフレームの連接部分を金型等を用いて切断除去すればよい。
【００３７】
本実施の形態のフォトインタラプタによれば、発光素子、受光素子およびレンズ部のうち複数個連接して作製されたものについては、ケース内に一度に複数個挿入することができる。
［実施の形態３］
次に、本発明のフォトインタラプタの実施の形態３について図面を参照しつつ説明する。
【００３８】
図５は本発明のフォトインタラプタの他の実施の形態におけるケースの一例を示す平面図である。
【００３９】
本実施の形態３のフォトインタラプタと実施の形態２におけるフォトインタラプタとの違いは、ケース４０が、設定されたピッチおよび配列数を有するように複数個連接して作製されていることであり、その他の箇所は実施の形態２におけるフォトインタラプタと同様であるので詳細な説明を省略する。なお、この設定されたピッチおよび配列数は、発光素子１０、受光素子２０およびレンズ部３０のうち複数個連接して作製されたもののピッチおよび配列数と同じに設定されている。
【００４０】
このケース４０は、隣り合う２つのケース４０がその両端部間に形成されたつなぎ部分５０によって複数個連接されている。
【００４１】
このような構成の発光素子１０、受光素子２０、レンズ部３０およびケース４０を用いてフォトインタラプタを製造するには、発光素子１０、受光素子２０およびレンズ部３０をケース４０に挿入して一体的に形成した後、連接部材３２や一体成形されたリードフレームの連接部分、およびつなぎ部分５０を金型等を用いて切断除去すればよい。
【００４２】
本実施の形態３のフォトインタラプタによれば、複数個連接して作製された発光素子や受光素子およびレンズ部を複数個のケースに一度に挿入することができるので、さらに製造時間を短縮することができる。
［実施の形態４］
次に、本発明のフォトインタラプタの実施の形態４について図面を参照しつつ説明する。
【００４３】
図６は本発明のフォトインタラプタの実施の形態４を示す縦断面図、図７は  本発明のフォトインタラプタの実施の形態４におけるレンズ部およびケースの一例を示す横断面図である。
【００４４】
本実施の形態４のフォトインタラプタと実施の形態３におけるフォトインタラプタとの違いは、ケース４０がつなぎ部分によって複数個連接して作製されておらず、その代わりに、発光素子、受光素子およびレンズ部のうちの少なくとも１つが複数個連接して作製されており、ケース４０がこの連接して作製したものに嵌合した状態で成形されていることであり、その他の箇所は実施の形態３におけるフォトインタラプタと同様であるので詳細な説明を省略する。
【００４５】
なお、図６には、レンズ部３０を複数個連接して作製し（図４参照）、このレンズ部３０にケース４０を嵌合させて一体に形成したものを示している。この場合、フォトインタラプタを製造するには、複数個のレンズ部３０のそれぞれに嵌合されたケース部４０に、発光素子１０および受光素子２０を挿入して一体的に形成した後、連接部材３２′（場合によっては他の構成部材の連接部分も含む）を金型等を用いて切断除去すればよい。
【００４６】
本実施の形態４のフォトインタラプタによれば、最後に支持台３２やリードフレームの不要部分（連接部材３２′）のみを切断除去するだけでフォトインタラプタを完成させることができる。従って、つなぎ部分の切断除去が必要な実施の形態３に示すフォトインタラプタと比較して、さらに製造時間を短縮できる。
［実施の形態５］
次に、本発明のフォトインタラプタの実施の形態５について図面を参照しつつ説明する。
【００４７】
図８は本発明のフォトインタラプタの他の実施の形態を構成する発光素子、受光素子およびレンズ部を透光性樹脂を用いて一体成形する工程の一例を示す断面図である。
【００４８】
本実施の形態５のフォトインタラプタと実施の形態４におけるフォトインタラプタとの違いは、発光素子１０、受光素子２０およびレンズ部３０が、フォトインタラプタを製造する過程において、同ピッチおよび同配列数を有するように複数個連接して作製されているとともに、遮光性樹脂によって一体成形されていることであり、その他の箇所は実施の形態４におけるフォトインタラプタと同様であるので詳細な説明を省略する。
【００４９】
本実施の形態においては、第１金型部品６１、第２金型部品６２、第３金型部品６３、第４金型部品６４、第５金型部品６５および第６金型部品６６から構成された金型を用いて、発光素子１０、受光素子２０およびレンズ部３０の位置決めを行うとともにその周辺部に所定の閉空間部を形成し、この閉空間部に遮光性樹脂を流し込んで発光素子１０、受光素子２０およびレンズ部３０を一体化している。
【００５０】
この第１金型部品６１は、発光素子１０のリードフレーム１１ａ，１１ｂとレンズ部３０の支持台３２（および連接部材３２′）とを挿入する穴部６１ａを有し、発光素子１０およびレンズ部３０を立てた状態で保持している。第２金型部品６２は、発光素子１０のリードフレーム１１ａ，１１ｂとレンズ部３０の支持台３２との間に配置されており、リードフレーム１１ａ，１１ｂと支持台３２とをそれぞれ穴部６１ａの側面に押し付けて発光素子１０およびレンズ部３０の位置決めを行っている。第３金型部品６３は、受光素子２０のリードフレーム２１ａ，２１ｂを挿入する穴部６３ａを有し、受光素子２０を立てた状態で保持している。第４金型部品６４は、発光素子１０が添設されたレンズ部３０のレンズ３１の先端部と受光素子２０の受光面とが当接される突起部６４ａを有し、発光素子１０、受光素子２０およびレンズ部３０の位置関係を規制している。第５金型部品６５および第６金型部品６６は、第３金型部品６３または第１金型部品６１上面にそれぞれ配設され、かつ、第４金型部品６４側面に添設されている。
【００５１】
本実施の形態のフォトインタラプタによれば、発光素子１０、受光素子２０およびレンズ部３０をケース内に一度に挿入することができる。
［実施の形態６］
次に、本発明のフォトインタラプタの実施の形態６について図面を参照しつつ説明する。
【００５２】
図９は本発明のフォトインタラプタの他の実施の形態を構成する発光素子、受光素子およびレンズ部を透光性樹脂を用いて一体成形する工程の一例を示す断面図である。
【００５３】
本実施の形態６のフォトインタラプタと実施の形態５におけるフォトインタラプタとの違いは、支持台３２（図４参照）が、発光素子１０（または受光素子）のリードフレーム１１ａ，１１ｂに添設可能な形状を有していることであり、その他の箇所は実施の形態５におけるフォトインタラプタと同様であるので詳細な説明を省略する。
【００５４】
本実施の形態６においては、支持台３２は板形状部材の２箇所を屈曲して形成されており、第１垂直部３２ａ、水平部３２ｂおよび第２垂直部３２ｃから構成されている。この第１垂直部３２ａは上端部がレンズ３１に固定されており、第２垂直部３２ｃは発光素子１０のリードフレーム１１ａ，１１ｂに添設されている。さらに、第２垂直部３２ｃはリードフレーム１１ａ，１１ｂに添設された状態で第１金型部品６１の穴部６１ａに挿入される。そのため、図８に示す第２金型部品６２が不要となる。
【００５５】
本実施の形態のフォトインタラプタによれば、実施の形態５のフォトインタラプタにより得られる効果に加えて、フォトインタラプタを製造する過程において使用される位置決め用の金型の構造を簡略化することができ、金型にかかるコストを削減できる。
［実施の形態７］
次に、本発明のフォトインタラプタの実施の形態７について図面を参照しつつ説明する。
【００５６】
図１０は本発明のフォトインタラプタの他の実施の形態におけるレンズ部の一例を示す縦断面図であり、図１１は図１０に示すレンズ部を位置決め用の金型に当接させた状態を示す縦断面図である。
【００５７】
本実施の形態７のフォトインタラプタと実施の形態４または実施の形態５におけるフォトインタラプタとの違いは、レンズ部３０が、レンズ３１の光放出側面に配置された筒形状部材３３を有していることであり、その他の箇所は実施の形態５におけるフォトインタラプタと同様であるので詳細な説明を省略する。
【００５８】
そして、フォトインタラプタを製造する過程においては、金型６０でレンズ部３０の位置決めを行う際に、この金型６０を構成する第４金型部品６４の突起部６４ａの側面に筒形状部材３３の先端部を当接する。
【００５９】
本実施の形態７のフォトインタラプタによれば、実施の形態４または実施の形態５のフォトインタラプタにより得られる効果に加えて、レンズ３１の光放出面Ｓ３１に遮光性樹脂が付着することを防止できるとともに、レンズ３１が金型に触れて変形することを防止できる。
［実施の形態８］
次に、本発明のフォトインタラプタの実施の形態８について図面を参照しつつ説明する。
【００６０】
図１２は本発明のフォトインタラプタの他の実施の形態におけるレンズ部の一例を示す説明図であり、同図（ａ）はこのフォトインタラプタの他の実施の形態におけるレンズ部の一例を示す正面図であり、同図（ｂ）は同図（ａ）のＢ−Ｂ線断面図である。
【００６１】
本実施の形態のフォトインタラプタと実施の形態１におけるフォトインタラプタとの違いは、レンズ部３０の支持台３２が、透光部３２ｄと遮光部３２ｅとから構成されており、この遮光部３２ｅによって発光素子から放出された光の一部分を遮光して光を絞るようになっていることであり、その他の箇所は実施の形態１におけるフォトインタラプタと同様であるので詳細な説明を省略する。
【００６２】
なお、本実施の形態８においては、支持台３２を遮光性を有する板形状部材で形成し、この板形状部材の所定位置に窓部を設け、この窓部を透光部３２ｄとし、窓部周辺を遮光部３２ｅとしている。
【００６３】
このような構造を有しているので、本実施の形態８のフォトインタラプタによれば、光は透光部３２ｄのみから放出するので、発光チップをリードフレームにダイボンドするときに発光チップの位置がずれてしまっても、レンズ表面の所定位置にのみ光を放出することができる。
［実施の形態９］
次に、本発明のフォトインタラプタの実施の形態９について図面を参照しつつ説明する。
【００６４】
図１３は本発明のフォトインタラプタの他の実施の形態におけるケースの一例を示す平面図である。
【００６５】
本実施の形態９のフォトインタラプタと実施の形態３におけるフォトインタラプタとの違いは、ケース４０が、フォトインタラプタを製造する過程において、このケース４０の線膨張係数よりも小さな線膨張係数を有する１つの接続部材即ち、つなぎ部分５０を用いて複数個連接された状態になっていることであり、その他の箇所は実施の形態３におけるフォトインタラプタと同様であるので詳細な説明を省略する。
【００６６】
一般に、つなぎ部分５０等の樹脂成形品は、成形時の樹脂の温度と室温との差に起因して成形後に収縮が生じ、樹脂成形品は金型寸法と比較して小さくなる。このため、つなぎ部分５０を用いてケースを複数個連接させた場合には、図１４に示すように、成形直後から時間が経過するにつれつなぎ部分５０が収縮する。そのため、配列数が多くなると発光素子や受光素子、およびレンズ部のピッチとケース４０のピッチとの間にずれが生じてしまう。
【００６７】
しかしながら、本実施の形態のフォトインタラプタによれば、実施の形態３のフォトインタラプタにより得られる効果に加えて、成形収縮の影響を小さくすることができる。
【００６８】
【発明の効果】
以上説明したように、本発明によれば、レンズ部がレンズと支持台とを備え、レンズの当接部位が発光素子の発光面上に安定した状態で当接されるので、レンズ部で発光素子を保持することができるとともに、支持台を保持しながらレンズ部をケース内の所定の位置に簡単確実に挿入することができ、かつ、ピンセットのような先の細いものでレンズをケース内に押し込む必要もなくなるので、製造時間を短縮することができる。
【００６９】
また、レンズ部が、フォトインタラプタを製造する過程において、設定されたピッチおよび配列数を有するように複数個連接して作製されている場合には、発光素子、受光素子およびレンズ部をケース内に挿入する際に、発光素子、受光素子およびレンズ部を一度に複数個挿入することができるので、製造時間の短縮と生産効率の向上とを図ることができる。
【００７０】
また、レンズ部が、フォトインタラプタを製造する過程において、設定されたピッチおよび配列数を有するように複数個連接して作製されているとともに、前記ケースが、この設定されたピッチおよび配列数を有するように複数個連接して作製されている場合には、複数個のケースに発光素子や受光素子およびレンズ部を一度に挿入することができるので、製造時間の短縮と生産効率の向上とを図ることができる。
【００７１】
また、ケースが、フォトインタラプタを製造する過程において、発光素子、受光素子およびレンズ部のうちの少なくとも１つに嵌合した状態で成形されている場合には、発光素子、受光素子およびレンズ部のうちの複数個連接して作製されたものをケースに挿入する（即ち、ケースを発光素子、受光素子およびレンズ部のうちの複数個連接して作製されたものに嵌合させる）ことによって、複数個のケースを連続した状態で配置することができるため、各ケースをつなぐための接続部材を取り除く作業が不要になる。
【００７２】
また、前記発光素子、受光素子およびレンズ部が、フォトインタラプタを製造する過程において、同ピッチおよび同配列数を有するように複数個連接して作製されているとともに、透光性樹脂によって一体成形されていてもよい。この場合には、発光素子、受光素子およびレンズ部をケース内に一度に挿入することができるので、製造時間の短縮と生産効率の向上とを図ることができる。
【００７３】
また、前記支持台が、発光素子または受光素子のリードフレームに添設可能な形状を有している場合には、発光素子、受光素子およびレンズ部の位置決めを行うための金型の構造を簡略化することができ、金型にかかるコストを削減できる。
【００７４】
また、前記レンズ部が、レンズの光放出側面に配置された筒形状部材を有している場合には、フォトインタラプタを製造する過程において使用される位置決め用の金型にこの筒形状部材を当接しておくことにより、レンズに透光性樹脂が付着することを防止できるとともに、レンズが金型に触れて変形することを防止できる。
【００７５】
また、前記レンズ部の支持台が、透光部と遮光部とから構成されており、この遮光部によって発光素子から放出された光の一部分を遮光して光を絞るようになっている場合には、光は透光部のみから放出するので、発光チップをリードフレームにダイボンドするときに発光チップの位置がずれてしまっても、レンズ表面の所定位置にのみ光を放出することができ、光源である発光チップの位置のばらつきがなくなるため、発光チップとレンズとの距離を小さくすることが可能となり、フォトインタラプタを小さくすることができる。
【００７６】
また、前記ケースが、フォトインタラプタを製造する過程において、このケースの線膨張係数よりも小さな線膨張係数を有する１つの接続部材を用いて複数個連接されている場合には、成形収縮の影響を小さくすることができ、ケースを発光素子、受光素子およびレンズ部のうちの複数個連接して作製されたものに嵌合させる作業を円滑に行うことが可能になる。
【図面の簡単な説明】
【図１】本発明のフォトインタラプタの実施の形態１を示す斜視図である。
【図２】図１に示すフォトインタラプタを示す縦断面図である。
【図３】図１および図２に示すフォトインタラプタを構成するレンズ部の一例を示す説明図である。
【図４】本発明のフォトインタラプタの実施の形態２におけるレンズ部の一例を示す正面図である。
【図５】本発明のフォトインタラプタの実施の形態３におけるケースの一例を示す平面図である。
【図６】本発明のフォトインタラプタの実施の形態４を示す縦断面図である。
【図７】本発明のフォトインタラプタの実施の形態４におけるレンズ部およびケースの一例を示す横断面図である。
【図８】本発明のフォトインタラプタの実施の形態５を構成する発光素子、受光素子およびレンズ部を透光性樹脂を用いて一体成形する工程の一例を示す断面図である。
【図９】本発明のフォトインタラプタの実施の形態６を構成する発光素子、受光素子およびレンズ部を透光性樹脂を用いて一体成形する工程の一例を示す断面図である。
【図１０】本発明のフォトインタラプタの実施の形態７におけるレンズ部の一例を示す縦断面図である。
【図１１】図１０に示すレンズ部を位置決め用の金型に当接させた状態を示す縦断面図である。
【図１２】本発明のフォトインタラプタの実施の形態８におけるレンズ部の一例を示す説明図である。
【図１３】本発明のフォトインタラプタの実施の形態９におけるケースの一例を示す上面図である。
【図１４】樹脂成形品において成形後に収縮が生じている状態を示す説明図である。
【図１５】従来のフォトインタラプタの一例を示す斜視図である。
【図１６】図１５に示すフォトインタラプタを示す縦断面図である。
【符号の説明】
１０  発光素子
１１ａ，１１ｂ  リードフレーム
１２  発光チップ
１３  透光性樹脂
２０  受光素子
２１ａ，２１ｂ  リードフレーム
２２  受光チップ
２３  透光性樹脂
３０  レンズ部
３１  レンズ
３２  支持台
３３  筒形状部材
４０  ケース
５０  つなぎ部分
【図１】
0003688957.tif 000002
【図２】
0003688957.tif 000003
【図３】
0003688957.tif 000004
【図４】
0003688957.tif 000005
【図５】
0003688957.tif 000006
【図６】
0003688957.tif 000007
【図７】
0003688957.tif 000008
【図８】
0003688957.tif 000009
【図９】
0003688957.tif 000010
【図１０】
0003688957.tif 000011
【図１１】
0003688957.tif 000012
【図１２】
0003688957.tif 000013
【図１３】
0003688957.tif 000014
【図１４】
0003688957.tif 000015
【図１５】
0003688957.tif 000016
【図１６】
0003688957.tif 000017